(57)【要約】  【課題】天井裏での組み立てが不要であり、且つ天井材の上面に確実に固定することができるダウンライト型照明器具の補強板を提供する。【解決手段】補強板１は、その１辺が蝶着された２枚の板材２ａ・２ｂで構成され、その蝶着辺３に切り欠き４が設けられている。補強板１を広げた時に前記切り欠き４が突合せ状態でダウンライト本体２０の装着孔５となる。補強板１の一方の面が天井材１０への接着面９となる。装着孔５は、天井材１０に形成された埋込孔１１の半径と同じ、又は前記半径より小さく形成されている。切り欠き４から前記板材２ａ・２ｂの外縁６までの最大距離Ｓは、前記埋込孔１１の直径より小に形成されている。【選択図】図１
2019067642.tif 000002
【特許請求の範囲】
【請求項１】
その１辺が蝶着された２枚の板材で構成され、その蝶着辺に切り欠きが設けられ、広げた時に前記切り欠きが突合せ状態でダウンライト本体の装着孔となると共に、その一方の面が天井材への接着面となるダウンライト型照明器具取付用の補強板において、
前記装着孔は、天井材に形成された前記埋込孔の半径と同じ、又は前記半径より小さく形成され、
前記切り欠きから前記板材の外縁６までの最大距離が、前記埋込孔の直径より小に形成されていることを特徴とするダウンライト型照明器具取付用の補強板。
【請求項２】
ダウンライト本体の埋込孔が形成された天井材と、
１辺で蝶着された前記一対の板材が天井裏で広げられた状態の時に、前記一対の切り欠きにて構成される装着孔が前記埋込孔に合致するように配置され、且つその下面が天井材の上面に接着された請求項１に記載の補強板と、
前記埋込孔に挿入され、前記装着孔に装着されたダウンライト本体とで構成されたダウンライト型照明器具の取付構造において、
前記ダウンライト本体は、ダウンライト本体のハウジングの側面に設けられた複数の取付ばねの前記装着孔への弾接によって装着孔に装着されるようになっていることを特徴とするダウンライト型照明器具の取付構造。
【発明の詳細な説明】
【技術分野】
【０００１】
本発明は、天井材に穿設した埋込孔への埋め込み型ダウンライトの取付構造において、天井材の材質に関係なくダウンライト本体を無理なく取り付けできる補強板とその取付構造に関する。
【背景技術】
【０００２】
天井材は、防火上の観点からロックウール板や石膏ボードなどが使用されている。このような天井材は柔らかく、或いは脆く、正確なダウンライト装着用の埋込孔を穿設することが困難であるだけでなく、この埋込孔にダウンライト本体を嵌め込もうとした時に、過ってダウンライト本体を埋込孔の孔縁にぶつけたり、無理に押し込もうとした時、脆い埋込孔の孔縁が欠けてしまうというようなことがあった。
また、ダウンライト本体を埋込孔に装着する時、ダウンライト本体の側面に上向き、且つ２方向、或いは３方向に末広がり状に伸びた取付ばねを埋込孔に弾接して固定するため、孔縁が凹んだり、欠けたりするというようなこともあった。そこで、このような材質の天井材であっても、埋込孔を損傷することなくダウンライト本体を取り付けできるようにする発明が提案された（特許文献１）。
【０００３】
この発明は、前記埋込孔を補強するための補強金具を天井材の上面に該埋込孔に合致して設けたもので、この補強金具の装着孔に取付ばねが弾接するようにダウンライト本体を装着し、前記埋込孔に取付ばねが直接接触しないようにしたものである。補強金具は、円弧状の切り欠きを持つ、該補強金具を２分割したハーフサイズの板金金具で構成され、組み立てると中央に前記埋込孔に合致したサイズの装着孔を有する補強金具となる。ハーフサイズの板金金具同士は、接合端に設けられた鉤脚と受け穴の嵌め合いで接続される。
【０００４】
このハーフサイズの金具を、天井材の埋込孔を通して室内側から天井裏に挿入し、室内側から埋込孔に手を挿入してこれらを天井裏で組み立て、補強金具の装着孔を天井材の埋込孔に合わせた状態で天井材の上面に載置し、埋込孔の周囲を補強する。この状態でダウンライト本体を組み付ける。この時、埋込孔が予定形状に対して歪んでいるか或いは大き過ぎる場合であっても、補強金具の装着孔が正確であるため、がたつきなくダウンライト本体を補強金具に的確に取り付けることができる。
なお、補強金具の装着孔の所々に設けた爪を天井材の埋込孔の内面に沿わせ、補強金具の不所望な動きを規制するようにもしている。
【先行技術文献】
【特許文献】
【０００５】
【特許文献１】特開平１０−６９８１３号公報
【発明の概要】
【発明が解決しようとする課題】
【０００６】
しかしながら、この補強金具は爪を設けて埋込孔の内面に沿わせてはいるものの、全体としては天井材の上面に載置されているだけで接着固定されているわけではない。従って、２方向（或いは３方向）に広がっている取付ばねを内側にすぼめて室内側からダウンライト本体を天井材の埋込孔に挿入し、補強金具の装着孔に装着しようとする時にダウンライト本体が下から接触して補強金具がずれやすく、この時、天井材の埋込孔にダウンライト本体や取付ばねが接触して埋込孔の孔縁を破損させる恐れがあった。しかも、この補強金具は爪を設けてはいるものの埋込孔が大き過ぎる場合には、爪は埋込孔の内周面から離れてしまう。
加えて、室内側から天井材の埋込孔に手を差し込んでハーフサイズの金具を天井裏で組み立て、さらに組み立てた状態で前記埋込孔に合わせて補強金具を設置する作業は非常に困難であった。
【０００７】
本発明は、このような従来技術の問題点に鑑みてなされたもので、天井裏での組み立てが不要であり、且つ天井材の上面に確実に固定することができるダウンライト型照明器具の補強板とその取付構造を提供するにある。
【課題を解決するための手段】
【０００８】
請求項１に記載したダウンライト型照明器具取付用の補強板１は、
その１辺が蝶着された２枚の板材２ａ・２ｂで構成され、その蝶着辺３に切り欠き４が設けられ、広げた時に前記切り欠き４が突合せ状態でダウンライト本体２０の装着孔５となると共に、その一方の面が天井材１０への接着面９となるダウンライト型照明器具取付用の補強板１において、
前記装着孔５は、天井材１０に形成された前記埋込孔１１の半径と同じ、又は前記半径より小さく形成され、
前記切り欠き４から前記板材２ａ・２ｂの外縁６までの最大距離Ｓが、前記埋込孔１１の直径より小に形成されていることを特徴とする。
【０００９】
請求項２に記載したダウンライト型照明器具Ａの取付構造は、
ダウンライト本体２０の埋込孔１１が形成された天井材１０と、
１辺で蝶着された前記一対の板材２ａ・２ｂが天井裏で広げられた状態の時に、前記一対の切り欠き４にて構成される装着孔５が前記埋込孔１１に合致するように配置され、且つその下面９が天井材１０の上面１０ａに接着された請求項１に記載の補強板１と、
前記埋込孔１１に挿入され、前記装着孔５に装着されたダウンライト本体２０とで構成され、
前記ダウンライト本体２０は、ダウンライト本体２０のハウジング２１の側面に設けられた複数の取付ばね２２の前記装着孔５への弾接によって装着孔５に装着されるようになっていることを特徴とする。
【発明の効果】
【００１０】
補強板１は、２枚のハーフサイズの板材２ａ・２ｂを蝶着したものであるので、これを折り畳んだ状態で天井材１０の埋込孔１１に通して天井裏に挿入し、天井裏でこれを広げるだけで天井材１０の上面１０ａに接着することができる状態になり、従来のような組み立てを必要としない。そして、広げた補強板１の下面９を天井材１０の上面１０ａに接着するだけで、天井材１０の埋込孔１１と同じ、或いはより小さい装着孔５が前記埋込孔１１と同心円状態で取り付けられることになるので、取付ばね２２は装着孔５に弾接して埋込孔１１には非接触となり、ダウンライト型照明器具Ａの取り付けに当たって埋込孔１１を破損するようなことがない。
【図面の簡単な説明】
【００１１】
【図１】本発明のダウンライト型照明器具取付部分の補強構造の断面図である。
【図２】本発明の補強板の平面図である。
【図３】図１の補強板を折り畳み、埋込孔に通す状態の斜視図である。
【図４】図３の折り畳んだ状態の補強板を天井材の透孔に通した時の部分断面図である。
【図５】図３の折り畳んだ状態の補強板を天井材の透孔に通した時の部分断面図である。
【図６】本発明に使用するダウンライト型照明器具の斜視図である。
【図７】図５の取付ばねの装着部分の部分拡大斜視図である。
【発明を実施するための形態】
【００１２】
以下、本発明を図示実施例にしたがって詳述する。補強板１は正方形（又は、長方形）の部材で、該補強板１を２分割したハーフサイズの２枚の板材２ａ・２ｂで構成されている。板材２ａ・２ｂの１辺には、半円形の切り欠き４がそれぞれ形成されている。そしてこの切り欠き４が形成されている辺が蝶着されている。この辺を蝶着辺３とする。従って、２枚の板材２ａ・２ｂを広げると、一対の切り欠き４が突合せ状態となって補強板１の中央に円形の装着孔５が現れる。
【００１３】
装着孔５の大きさ（内径）は、天井材１０に形成された埋込孔１１の内径と同じ、又は前記これより小さく且つハウジング２１の装着孔５への挿入部分の最大外径Ｈの半径より大である。ここで最大外径Ｈとは、後述する取付ばね２２を内側にすぼめた状態で、取付ばね２２の取付部分も含め、これらが通過可能な最大円の直径である。図１で示せば、ハウジング２１の開口部側の側面に設けられた取付ばね２２の基部に設けられた取付部２２ａを囲む円である。ただし、後述する額縁２４より小である。
【００１４】
そして、板材２ａ・２ｂを折り畳んだ時、切り欠き４からその外縁６までにおいて、最大幅を持つ部分の距離Ｓが、前記埋込孔１１の直径より小に形成されている。即ち、補強板１が埋込孔１１をくぐり抜けできる大きさとする。補強板１の材質は特に限定されないが、本発明では中密度繊維板（ＭＤＦ）その他、木質材が使用されている。なお、板材２ａ・２ｂの蝶着方法として、一方の面に屈曲可能な薄いシート８を張り付けることで実現している。
【００１５】
また、木質の板材２ａ・２ｂに比べて若干強度は弱くなるものの、補強板１であるから石膏ボード（石膏ボード本体７の両面に紙７ａ・７ｂが張り付けられている板材）の使用も可能である。石膏ボードを使用する場合、石膏ボードを切断して四角形の板材（前記木質板材２ａ・２の２倍の幅で高さは同寸）を作り、その中央に円形の前記装着孔５を穿設し、表面側の紙７ａ及び石膏ボード本体７に表面側から切り込みを入れ、これを割ることで裏面の紙７ｂが貼着シートの役割を果たす補強板１を得る。図５はその施工図面で、裏面（非切断側）の紙７ｂを天井材１０の上面１０ａに接着している。（勿論、逆に貼り付けてもよい。）なお、図５において、切断後の左右の紙を７ａ１・７ａ２で示した。この石膏ボードの補強板１は上記のように補強板１であるから仮に欠けたとしても室内側から見える恐れはなく、補強板１としての働きをなす。
【００１６】
ダウンライト本体２０のハウジング２１は、下面が円形に開口した逆椀状で、その開口周縁にダウンライト装着用の埋込孔１１の周縁を隠す額縁２４が全周にわたって延出されている。即ち、額縁２４の外周円の直径は、埋込孔１１の直径より大に形成されている。そしてハウジング２１の内部中央付近に光源２５が設けられている。
【００１７】
図６の実施例では、ハウジング２１の側面には３箇所の縦向きの取付溝２６が等分に設けられ、取付けばね２２の取付部２２ａが嵌め殺し状態で装着される。
取付ばね２２は帯状の弾性金属板（例えば、ステンレスばね鋼）で形成され、そのばね本体２２ｂは取付部２２ａの下端で屈曲され側方に延びるように設けられている。ばね本体２２ｂの途中に湾曲された弾接部２２ｃが形成されている。取付ばね２２の取り付け前の状態では、ハウジング２１に対してばね本体２２ｂは外側方（放射方向）に伸びており、後述するように装着孔５への取り付け後は、ばね本体２２ｂが装着孔５に弾接して取付部２２ａの下端で曲がり、上向き末広がり状（即ち、先端に行くほど取付ばね２２の間隔が広がる。）に延在する。
【００１８】
天井材１０は、柔らかいロックウール吸音板や欠けることがある石膏ボード等、防火性の優れた素材が用いられる。天井材１０には、例えばホールソーのような切削工具で埋込孔１１が穿設される。埋込孔１１の大きさ（内径）はハウジング２１の額縁２４の外径より小さく、ハウジング２１の前記取付ばね２２の取り付け部分を含む前記最大円に形成される。
【００１９】
次に上記のダウンライト型照明器具Ａの取り付けであるが、該ダウンライト型照明器具Ａを埋込配設するに際し、まず、補強板１を取り付ける。図３に示すように補強板１を二つに折り畳み、埋込孔１１を通して天井裏に補強板１を挿入する。補強板１の切り欠き４は、切り欠き４から板材２ａ・２ｂの外縁６までの最大距離Ｓが、前記埋込孔１１の直径より小に形成されているので、折り畳んだ状態では埋込孔１１を簡単に通過させることができる。然る後、埋込孔１１から天井裏に手を差し込み、挿入した補強板１を広げ、その一面（シート８の反対側の面）に接着剤を塗布する。塗布後、埋込孔１１に装着孔５をセンター合わせで合致させ、天井材１０の上面１０ａに接着する。これにより、装着孔５の孔縁は埋込孔１１の孔縁に一致するか、或いはその内側に位置する。
【００２０】
次に、ダウンライト型照明器具Ａの各取付ばね２２のばね本体２２ｂの基部を弾性変形させてその先端をすぼめるようにした状態で取付ばね２２を室内側から埋込孔１１内に導入し、然る後、ハウジング２１を上方に押し込む。すると、天井裏で弾性復帰した取付ばね２２の弾接部２２ｃは装着孔５の３方向において内周面の上縁に斜め上から弾接する。換言すれば、弾接部２２ｃは埋込孔１１に接触しない。そしてこれにより取付ばね２２は弾接した上縁に押圧力を及ぼす。なお、補強板１は柔らかい、或いは脆い天井材１０と異なり、固い木質材で形成されているため、破損することがない。
【００２１】
一方、埋込孔１１に挿入されたハウジング２１の額縁２４は天井材１０の下面において、埋込孔１１の孔縁に係止してその全周を覆う。その結果、ハウジング２１の外周面と埋込孔１１の内周面との間の隙間は、額縁２４によって覆われ、室内側から見て該隙間が室内側に露出することがない。そしてこのように額縁２４と弾接部２２ｃとで天井材１０とこれに接着された補強板１が挟まれることで、ダウンライト型照明器具Ａは天井材１０に対して固定され埋込配設が完了する。
【符号の説明】
【００２２】
Ａ：ダウンライト型照明器具、Ｓ：切り欠きから板材の外縁までの最大距離、１：補強板、２ａ・２ｂ：板材、３：蝶着辺、４：切り欠き、５：装着孔、６：外縁、７：ボード本体、７ａ１・７ａ２：切断側の紙、７ｂ：非切断側の紙、８：シート、９：下面（接着面）、１０：天井材、１０ａ：上面、１１：埋込孔、２０：ダウンライト本体、２１：ハウジング、２２：取付ばね、２２ａ：取付部、２２ｂ：ばね本体、２２ｃ：弾接部、２４：額縁、２５：光源、２６：取付溝
【図１】
2019067642.tif 000003
【図２】
2019067642.tif 000004
【図３】
2019067642.tif 000005
【図４】
2019067642.tif 000006
【図５】
2019067642.tif 000007
【図６】
2019067642.tif 000008
【図７】
2019067642.tif 000009